(57)【要約】【課題】  背面合せに設置したデスク間の上位に、複数又は単数のキャビネットを簡単且つ強固に支持することができ、キャビネットの配置形態を変更することも可能であり、キャビネットに横引き扉を設けることが可能なデスクにおける上キャビネット装置を提供する。【解決手段】  背面合せに設置したデスク間の上位に単又は複数のキャビネットを設けてなるデスクにおける上キャビネット装置６であって、一方又は双方のデスクＡ，Ｂの天板１後方に支柱５を立設し、両側支柱の上端間に支持板８を取付け、キャビネット本体９を並置した状態で、底面板１６と上面板１９の前後端部に沿って下レール１０と上レール１１を全キャビネット本体９に渡って取付け、キャビネット本体９を支持板に上方から嵌合し載置して取付け、開口部２０に面する側の上下レールに開閉扉１２を移動可能に装着した。【選択図】        図２
2008246118.tif 000002
【特許請求の範囲】
【請求項１】
背面合せに設置したデスク間の上位に単又は複数のキャビネットを設けてなるデスクにおける上キャビネット装置であって、一方又は双方のデスクの天板後方の左右に支柱を立設し、両側の支柱の上端間に支持板を取付け、開口部を前後一面に有するキャビネット本体を横方向に並置した状態で、前記キャビネット本体の底面板の下面側の前後端部に下レールを全キャビネット本体に渡って取付けるとともに、上面板の上面側の前後端部に上レールを全キャビネット本体に渡って取付け、そして各キャビネット本体を連結した状態で、前記底面板を前記支持板に上方から載置して該支持板に取付け、更に前記開口部に面する側の上レールと下レールとに開閉扉を左右方向へ移動可能に装着したことを特徴とするデスクにおける上キャビネット装置。
【請求項２】
前記キャビネット本体の前記底面板と上面板は、少なくとも下レールと上レールを取付ける部位において前後対称形とし、当該キャビネット本体を前後反転して取付けることが可能である請求項１記載のデスクにおける上キャビネット装置。
【請求項３】
前記キャビネット本体を少なくとも二つ併設し、各キャビネット本体の開口部の向きを前後どちらかに選択し、各キャビネット本体の側面板同士を連結することなく前記上レールと下レールを全キャビネット本体に渡って取付けるとともに、前記支持板に取付けてなる請求項２記載のデスクにおける上キャビネット装置。
【請求項４】
前記キャビネット本体の前記底面板と上面板は、少なくとも下レールと上レールを取付ける部位において前後対称形且つ上下対称形とし、当該キャビネット本体を前後反転して取付けることが可能であるとともに、上下反転して取付けることが可能である請求項１記載のデスクにおける上キャビネット装置。
【発明の詳細な説明】
【技術分野】
【０００１】
本発明は、デスクにおける上キャビネット装置に係わり、更に詳しくは背面合せに設置したデスク間の上位に設けるキャビネットの配置形態の選択と変更が可能なデスクにおける上キャビネット装置に関するものである。
【背景技術】
【０００２】
従来から、デスクの天板後部の両側部に支柱を立設し、背面合せに設置したデスク間の上位に、前記支柱で支持したキャビネットを設けた構造のものは各種提供されている。例えば、特許文献１には、２つの机天板の後縁同士を近接させて配置し、各机天板の左右両側から立設した４本の支柱に跨がって支持板を載置固定し、該支持板上に前記収納箱体を２つ横並びに載置固定した机における収納装置が開示されている。更に、一方の収納箱体の蓋体が一方の机天板の前側から開き可能とし、他方の収納箱体の蓋体が他方の机天板の前側から開き可能となるように、収納箱体の開口部を別々の方向に向くように配置した点も開示されている。
【０００３】
一方、二つのキャビネットを横方向に並べるとともに、各キャビネットの開閉扉を設けた面が反対を向くように設置することは公知である（特許文献２参照）。通常、このように横方向に並設したキャビネット同士は、側板同士をボルト、ナット等で締結している。特に、特許文献１に記載のものにあっては、重量によって支持板が若干撓むので、両側のキャビネットの側板同士を連結しないと、接合面に隙間が生じることになるので、側板同士の連結は必須である。そして、左右のキャビネットは、開閉扉又は蓋体を同じ面に向けて配置することもあるので、該キャビネットの左右両側の側板には連結のための貫通孔を設けている。そこで、左右のキャビネットの位置を変えたり、一方のキャビネットの前後の向きを変える場合には、両キャビネットを連結しているボルト、ナットをその都度外す必要がある。
【０００４】
更に、特許文献１記載のものは、支持板の上面にキャビネットの底板を重ねて取付ける構造であるので、支持板の厚みが外観性において重々しく感じられる。また、蓋体は上下に回動して開閉する機構であるので、オープンなキャビネットとするには蓋体を外さなければならない。つまり、キャビネットの配置形態の変更に手間がかかるといった課題があった。また、蓋体を持ち上げて開放する場合、蓋体を全開しなければ内容物の出し入れが不可能である。
【特許文献１】特開２００６−０８１９２２号公報（図２２、図２３参照）
【特許文献２】特開２００２−２９１５５５号公報
【発明の開示】
【発明が解決しようとする課題】
【０００５】
そこで、本発明が前述の状況に鑑み、解決しようとするところは、背面合せに設置したデスク間の上位に、複数又は単数のキャビネットを簡単且つ強固に支持することができるとともに、キャビネットの配置形態を変更することも可能であり、更にキャビネットに横引き扉を設けることが可能なデスクにおける上キャビネット装置を提供する点にある。
【課題を解決するための手段】
【０００６】
本発明は、前述の課題解決のために、背面合せに設置したデスク間の上位に単又は複数のキャビネットを設けてなるデスクにおける上キャビネット装置であって、一方又は双方のデスクの天板後方の左右に支柱を立設し、両側の支柱の上端間に支持板を取付け、開口部を前後一面に有するキャビネット本体を横方向に並置した状態で、前記キャビネット本体の底面板の下面側の前後端部に下レールを全キャビネット本体に渡って取付けるとともに、上面板の上面側の前後端部に上レールを全キャビネット本体に渡って取付け、そして各キャビネット本体を連結した状態で、前記底面板を前記支持板に上方から載置して該支持板に取付け、更に前記開口部に面する側の上レールと下レールとに開閉扉を左右方向へ移動可能に装着したことを特徴とするデスクにおける上キャビネット装置を構成した（請求項１）。
【０００７】
また、前記キャビネット本体の前記底面板と上面板は、少なくとも下レールと上レールを取付ける部位において前後対称形とし、当該キャビネット本体を前後反転して取付けることが可能であることが好ましい（請求項２）。
【０００８】
そして、前記キャビネット本体を少なくとも二つ併設し、各キャビネット本体の開口部の向きを前後どちらかに選択し、各キャビネット本体の側面板同士を連結することなく前記上レールと下レールを全キャビネット本体に渡って取付けるとともに、前記支持板に取付けてなることが好ましい（請求項３）。
【０００９】
また、前記キャビネット本体の前記底面板と上面板は、少なくとも下レールと上レールを取付ける部位において前後対称形且つ上下対称形とし、当該キャビネット本体を前後反転して取付けることが可能であるとともに、上下反転して取付けることが可能であることも好ましい（請求項４）。
【発明の効果】
【００１０】
以上にしてなる請求項１に係る発明のデスクにおける上キャビネット装置は、キャビネット本体の底面板の下面側の前後端部に下レールを全キャビネット本体に渡って取付けるとともに、上面板の上面側の前後端部に上レールを全キャビネット本体に渡って取付けたので、複数のキャビネット本体を並設する場合には各キャビネット本体を連結することができ、また単数のキャビネット本体の場合には、その上下部を上レールと下レールの合計４本の部材で補強することができ、剛性を高めることができるのである。また、前記キャビネット本体に上レールと下レールを取付ける作業は、床面等の低い位置で行うことができるので、作業が極めて簡単である。そして、背面合せに設置したデスク双方の天板の後方左右に支柱を立設する場合には、合計４本の支柱で支持板を介してキャビネット本体を支持するので、安定である。また、キャビネット本体の開口部に面する側の上レールと下レールとに開閉扉を左右方向へ移動可能に装着したので、横開き式扉を設けることができ、開口部を全開しなくても物品の出し入れが可能となり、また扉の開閉操作も容易である。
【００１１】
請求項２によれば、前記キャビネット本体の前記底面板と上面板は、少なくとも下レールと上レールを取付ける部位において前後対称形としたので、当該キャビネット本体を前後反転して取付けることが可能であり、それにより開口部を前後どちらの側に設けるかを選択することができ、またその変更も簡単である。
【００１２】
請求項３によれば、前記キャビネット本体を少なくとも二つ併設し、各キャビネット本体の開口部の向きを前後どちらかに選択し、各キャビネット本体の側面板同士を連結することなく前記上レールと下レールを全キャビネット本体に渡って取付けるとともに、前記支持板に取付けてなるので、例えば二つのキャビネット本体を組み合わせる場合には、開口部の位置が、右側、左側、両側、なしの４通りの配置形態が可能であり、そして必要なところに開閉扉を横方向移動可能に設けることができる。
【００１３】
請求項４によれば、前記キャビネット本体の前記底面板と上面板は、少なくとも下レールと上レールを取付ける部位において前後対称形且つ上下対称形としたので、当該キャビネット本体を前後反転して取付けることが可能であるとともに、上下反転して取付けることが可能である。例えば、一体型のキャビネット本体で、その右半分の前面側に開口部を設け、左半分の後面側に開口部を設けた構造のもとすれば、前後反転させても開口部の配置形態は同じであるが、上下反転させると開口部の左右位置を逆にすることができる。
【発明を実施するための最良の形態】
【００１４】
次に、添付図面に示した実施形態に基づき、本発明を更に詳細に説明する。図１は本発明を適用した背面合せ配置のデスクの全体斜視図、図２〜図６はその詳細を示し、図７及び図８は図１の配置形態と異なる形態を示し、図中符号Ａは手前側のデスク、Ｂは反対側のデス、１は天板、２は脚体、３は幕板、４は目隠しパネル、５は支柱、６は上キャビネット装置をそれぞれ示している。
【００１５】
本実施形態のデスクＡ，Ｂは、図１に示すように、天板１の端部側に脚体２，２を配置するとともに、両脚体２，２の後端面間に幕板３を着脱可能に取付けている。また、一方のデスクＡの幕板３の背面に、天板１よりも上方へ延びた目隠しパネル４を取付けている。そして、前記両デスクＡ，Ｂを背面合せに接近させて設置し、中間に前記目隠しパネル４を位置させている。ここで、各デスクＡ，Ｂの天板１の後端と幕板３間には、ダクト開口７が形成されており、該ダクト開口７の左右両端部に前記支柱５，５を立設している。前記支柱５は、ダクト開口７を通して天板１の下方で脚体２等に強固に固定されている。
【００１６】
そして、図２に示すように、各デスクＡ，Ｂの天板１の後方左右に立設した合計４本の前記支柱５の上端間に渡って横長の支持板８を取付け、該支持板８の上に前記上キャビネット装置６を載置して設けるのである。
【００１７】
次に、前記キャビネット装置６を図１〜図６に基づいて説明する。前記キャビネット装置６は、単又は複数のキャビネット本体９と、一対の下レール１０，１０と、一対の上レール１１，１１と、必要数の開閉扉１２と、各キャビネット本体９に対応した地カバー１３と、左右両端の一対の側カバー１４，１４と、一枚の長尺の天カバー１５とから大略構成されている。本実施形態のキャビネット装置６は、二つのキャビネット本体９，９で構成しているが、一つでもまた３つ以上でも原理的には可能である。
【００１８】
そして、前記キャビネット本体９は、底面板１６と、該底面板１６の上面両側縁に立起状態で固着する側面板１７，１７と、前記底面板１６の後縁に立設し、両側部を前記側面板１７，１７の後縁に固着する背面板１８と、該背面板１８に連続した上面板１９とからなる。つまり、前記キャビネット本体９は、前面側に開口部２０を形成したものとなっている。また、前記底面板１６の前縁は下方へ傾斜して立ち下がった下框部１６Ａを形成し、前記上面板１９の前縁は上方へ傾斜して立ち上がった上框部１９Ａを形成している。
【００１９】
更に、前記キャビネット本体９の底面板１６の下面には、前後両側に沿って前後反転対称形の一対の下補強部材２１，２１が固定され、両下補強部材２１，２１の間は、前記支持板８を嵌合する凹段部２２となっている。つまり、前記底面板１６の前後中央部に左右両側に連続した下方開放の凹段部２２が形成されている。また、前記キャビネット本体９の上面板１９の上面には、前後両側に沿って前後反転対称形の一対の上補強部材２３，２３が固定されている。
【００２０】
前記下レール１０は、図４及び図６に示すように、下向きに開放したレール溝１０Ａを形成したものであり、該レール溝１０Ａの上面の取付面１０Ｂを前側にあっては前記下補強部材２１から前方へ延設した取付座２４に、後側にあっては前記補強部材２１から後方へ延設した若しくは別体で設けた取付座２４に下方からネジ止めする。また、前記上レール１１は、図４及び図６に示すように、前向きに開放したレール溝１１Ａを形成したものであり、該レール溝１１Ａから側方へ延設した取付片１１Ｂを、前記上補強部材２３に段落ち状態で形成した取付座２５に上方からネジ止めする。
【００２１】
図２及び図３に示すように、二つの前記キャビネット本体９，９を並置し、各キャビネット本体９，９の側面板１７，１７同士を連結することなく、前記上レール１１，１１と下レール１０，１０を全キャビネット本体９，９に渡って取付けることにより一体化するのである。そして、前記開閉扉１２の背面の上下両側端部に、前記下框部１６Ａと上框部１９Ａを回避するように屈曲した下支持部材２６，２６と上支持部材２７，２７を取付け、前記下支持部材２６には前記下レール１０のレール溝１０Ａ内を転動する垂直な回転軸を有するローラ２８を設け、前記上支持部材２７には前記上レール１１のレール溝１１Ａ内を転動する水平軸を有するローラ２９を設けている。前記下レール１０と上レール１１は側端が開放されているので、前記開閉扉１２の上下のローラ２８，２９を側方から挿入し、所定位置まで開閉扉１２を移動させた後、前記上面板１９の上面で上レール１１の端部付近にストッパー３０を取付ける。
【００２２】
そして、図２、図４及び図６に示すように、前記支柱５，…の上端に固定した前記支持板８に、前記キャビネット本体９の底面板１６に形成した凹段部２２を上方から嵌合した状態で載置するとともに、前記前記支持板８を底面板１６に下方からネジ３１，…にて締結している。更に、端部に位置するキャビネット本体９の側面板１７の外側に、前記側カバー１４を取付け、該側カバー１４の下端部で前記凹段部２２の側方開放部を塞ぎ、且つ前記支持板８の側端を当止している。また、各キャビネット本体９の底面板１６の上面には、その凹凸を塞ぐように地カバー１３を嵌着している。更に、各キャビネット本体９，９の上面板１９，１９に渡り、前記上補強部材２３，２３及び上レール１１，１１を隠蔽するように前記天カバー１５を被せ、前記上補強部材２３，２３にネジ止めしている。ここで、前述のように、下レール１０，１０と上レール１１，１１でキャビネット本体９，９を一体に連結した状態で、キャビネット本体９の底面板１６に形成した凹段部２２を支持板８に、上方から嵌合し、載置して該支持板８に取付けるので、支持強度が非常に高くなり、撓みによって隣接するキャビネット本体９の側面板１７，１７間に隙間が生じるようなことがないのである。また、前記凹段部２２内に支持板８が完全に収容されるので、外観性の向上も図れるのである。
【００２３】
ここで、複数の前記キャビネット本体９，９の開口部２０を前後のどちらの面に向けるかは、背面合せのデスクの使用形態に応じて決定することができる。つまり、一方のキャビネット本体９の開口部２０を前面に向け、他方のキャビネット本体９の開口部２０を背面に向けるように配置する場合がある。右側のキャビネット本体９の開口部２０を前面（デスクＡ側）に向け、左側のキャビネット本体９の開口部２０を背面（デスクＢ側）に向けた配置形態を図１に示している。また、左側のキャビネット本体９の開口部２０を前面（デスクＡ側）に向け、右側のキャビネット本体９の開口部２０を背面（デスクＢ側）に向けた配置形態を図７に示している。図８は、両キャビネット本体９，９の開口部２０，２０と共に前面に向けた配置形態を示し、その場合には前記開閉扉１２を前面側に一枚だけ設け、何れか一方の開口部２０を閉止するようになっている。尚、図１及び図７に示した使用形態では、前後面にそれぞれ一枚ずつ前記開閉扉１２を設け、開口部２０を開放した際には、他方のキャビネット本体９の背面板１８に沿って開閉扉１２が位置することになる。
【００２４】
一旦組み付けた上キャビネット装置６の配置形態を変更する場合、例えば図１から図７の状態に変更する場合には、前記上キャビネット装置６を支持板８から外して床面に置き、側カバー１４や天カバー１５を外し、ストッパー３０，…を外して開閉扉１２を外す。それから、上レール１１，１１と下レール１０，１０を外して左右のキャビネット本体９の位置を左右変えるか、各キャビネット本体９の前後の向きを変え、それから上レール１１，１１と下レール１０，１０を取付けて一体化する。このとき、前記開閉扉１２やストッパー３０，…を取付けるとともに、側カバー１４や天カバー１５をキャビネット本体９に取付けた状態で、前記支持板８に載置して連結しても、あるいは上レール１１，１１と下レール１０，１０で連結した状態で前記支持板８に載置して連結した後、前記開閉扉１２やストッパー３０，…を取付けるとともに、側カバー１４や天カバー１５をキャビネット本体９に取付けても良い。
【００２５】
図９及び図１０は、第２実施形態を示している。本実施形態は、一つの長尺のキャビネット本体９を用いるものであり、基本構造は前記同様であるが、本実施形態では前記底面板１６と上面板１９は、少なくとも下レール１０，１０と上レール１１，１１を取付ける部位及び前記支持板８を嵌合する凹段部２２において前後対称形且つ上下対称形としたものである。つまり、前記底面板１６と上面板１９は上下反転すると同一形状となっており、従ってキャビネット本体９を上下反転させて前記支持板８に取付けることができるようになっている。
【００２６】
第２実施形態において、前記キャビネット本体９は、内部に仕切板３２を設け、該仕切板３２の右側を手前に開放して開口部２０とし、左側を背面側に開放して開口部２０としている。そして、底面板１６の下面の前後両側に沿って設けた下補強部材２１，２１の間を、前記支持板８を嵌合する凹段部２２とするとともに、上面板１９の上面の前後両側に沿って設けた上補強部材２３，２３の間も、前記支持板８を嵌合する同形の凹段部２２としたのである。更に、前記下レール１０と上レール１１を前記下補強部材２１と上補強部材２３の何れにも取付けることができるようにしたのである。ここで、前記下レール１０を上補強部材２３にも取付けることができるように、下補強部材２１に取付座２５を設けるとともに、下レール１０のも上レール１１の取付片１１Ｂと同様な取付片１０Ｂを設けている。しかし、この下補強部材２１、上補強部材２３、下レール１０及び上レール１１の構造は特に限定されるものではない。
【００２７】
こうすることによって、前記キャビネット本体９を上下反転させて支持板８に取付ければ、右側オープンから左側オープンに容易に変更することができる。
【図面の簡単な説明】
【００２８】
【図１】背面合せのデスク間の上位に本発明の上キャビネット装置を設けた実施形態を示し、右側オープンの配置形態を示す全体斜視図である。
【図２】支持板に上キャビネット装置を装着する途中の状態を示す分解斜視図である。
【図３】上キャビネット装置の分解斜視図である。
【図４】組立てた状態の要部縦断面図である。
【図５】横開き式開閉扉の取付部の構造を示す要部拡大斜視図である。
【図６】組立てた状態の要部の拡大縦断面図である。
【図７】背面合せのデスク間の上位に本発明の上キャビネット装置を設けた実施形態を示し、左側オープンの配置形態を示す全体斜視図である。
【図８】背面合せのデスク間の上位に本発明の上キャビネット装置を設けた実施形態を示し、両側オープンの配置形態を示す全体斜視図である。
【図９】上キャビネット装置の第２実施形態を示す分解斜視図である。
【図１０】上キャビネット装置の同じく要部の拡大縦断面図である。
【符号の説明】
【００２９】
Ａ，Ｂ  デスク
１  天板                  ２  両脚体
３  幕板                  ４  目隠しパネル
５  支柱                  ６  上キャビネット装置
７  ダクト開口            ８  支持板
９  キャビネット本体      １０  下レール
１０Ａ  レール溝          １０Ｂ  取付面
１１  上レール            １１Ａ  レール溝
１１Ｂ  取付片            １２  開閉扉
１３  地カバー            １４  側カバー
１５  天カバー            １６  底面板
１６Ａ  下框部            １７  側面板
１８  背面板              １９  上面板
１９Ａ  上框部            ２０  開口部
２１  下補強部材          ２２  凹段部
２３  上補強部材          ２４  取付座
２５  取付座              ２６  下支持部材
２７  上支持部材          ２８  ローラ
２９  ローラ              ３０  ストッパー
３１  ネジ                ３２  仕切板
【図１】
2008246118.tif 000003
【図２】
2008246118.tif 000004
【図３】
2008246118.tif 000005
【図４】
2008246118.tif 000006
【図５】
2008246118.tif 000007
【図６】
2008246118.tif 000008
【図７】
2008246118.tif 000009
【図８】
2008246118.tif 000010
【図９】
2008246118.tif 000011
【図１０】
2008246118.tif 000012